(57)【要約】【課題】インダクタコイルと送電コイルとの結合係数が増加することを抑制可能な構成を備えた送電装置を得る。【解決手段】受電装置に非接触で電力を送電する送電装置は、対向面３１と背面３２とを有する送電コイルコア３０と、対向面３１上に設けられた送電コイル２２Ｌと、背面３２上に設けられたフィルタユニット２３とを備える。送電コイル２２Ｌが環状に延びている方向を周方向ＡＲ１と規定し、周方向に対して直交する方向を法線方向ＡＲ２と規定したとする。インダクタコア２５は、平板部２５Ｐと、平板部２５Ｐの外周縁のうち、周方向ＡＲ１における一方側および他方側に位置する部分にそれぞれ設けられた一対の立壁部２５Ａ，２５Ｂとを含む。立壁部２５Ａ，２５Ｂは、法線方向ＡＲ２に対して平行に延びるように配置されており、かつ上記外周縁から送電コイルコア２２Ｌの背面３２の位置に向かって延在している。【選択図】図４
2017107977.tif 000002
【特許請求の範囲】
【請求項１】
受電装置に対向するように配置された状態で前記受電装置に非接触で電力を送電する送電装置であって、
前記受電装置に対向する対向面と、前記対向面の反対側に位置する背面とを有する送電コイルコアと、
前記受電装置に対向する前記送電装置から前記受電装置に向かう方向に延びる巻軸の周囲を取り囲むように環状に形成されており、前記送電コイルコアの前記対向面上に設けられた送電コイルと、
インダクタコイルおよびインダクタコアを含み、前記送電コイルコアの前記背面上に設けられたフィルタユニットと、を備え、
前記送電コイルが環状に延びている方向を周方向と規定し、前記周方向に対して直交する方向を法線方向と規定したとすると、
前記インダクタコアは、
前記送電コイルコアの前記背面に対向するように配置された平板部と、
前記平板部の外周縁のうち、前記周方向における一方側および他方側に位置する部分にそれぞれ設けられた一対の立壁部と、を含み、
前記インダクタコイルは、前記周方向における前記一対の立壁部の間に設けられており、
前記一対の立壁部のうちの少なくとも一方の立壁部は、前記法線方向に対して平行に延びるように配置されており、かつ前記外周縁から前記送電コイルコアの前記背面の位置に向かって延在している、
送電装置。
【請求項２】
前記送電コイルから前記インダクタコイルへ向かう磁束の通過経路上に配置されたシールド部材をさらに備える、
請求項１に記載の送電装置。
【請求項３】
送電装置に対向するように配置された状態で前記送電装置から非接触で電力を受電する受電装置であって、
前記送電装置に対向する対向面と、前記対向面の反対側に位置する背面とを有する受電コイルコアと、
前記送電装置に対向する前記受電装置から前記送電装置に向かう方向に延びる巻軸の周囲を取り囲むように環状に形成されており、前記受電コイルコアの前記対向面上に設けられた受電コイルと、
インダクタコイルおよびインダクタコアを含み、前記受電コイルコアの前記背面上に設けられたフィルタユニットと、を備え、
前記受電コイルが環状に延びている方向を周方向と規定し、前記周方向に対して直交する方向を法線方向と規定したとすると、
前記インダクタコアは、
前記受電コイルコアの前記背面に対向するように配置された平板部と、
前記平板部の外周縁のうち、前記周方向における一方側および他方側に位置する部分にそれぞれ設けられた一対の立壁部と、を含み、
前記インダクタコイルは、前記周方向における前記一対の立壁部の間に設けられており、
前記一対の立壁部のうちの少なくとも一方の立壁部は、前記法線方向に対して平行に延びるように配置されており、かつ前記外周縁から前記受電コイルコアの前記背面の位置に向かって延在している、
受電装置。
【請求項４】
前記受電コイルから前記インダクタコイルへ向かう磁束の通過経路上に配置されたシールド部材をさらに備える、
請求項３に記載の受電装置。
【発明の詳細な説明】
【技術分野】
【０００１】
本発明は、受電装置に非接触で電力を送電する送電装置、および送電装置から非接触で電力を受電する受電装置に関する。
【背景技術】
【０００２】
特許文献１〜５に開示されているように、受電装置に非接触で電力を送電する送電装置や、送電装置から非接触で電力を受電する受電装置が知られている。特許文献６（特開２００８−１２０２３９号公報）に開示されているように、非接触で電力を送受電するこれらの装置は、対向面および背面を有する略板状のコイルコアと、環状に形成されコイルコアの対向面上に設けられたコイルとを備える。なお対向面とは、送電装置の場合には送電コイルコアのうちの受電装置に近い側の表面であり、受電装置の場合には受電コイルコアのうちの送電装置に近い側の表面である。
【先行技術文献】
【特許文献】
【０００３】
【特許文献１】特開２０１３−１５４８１５号公報
【特許文献２】特開２０１３−１４６１５４号公報
【特許文献３】特開２０１３−１４６１４８号公報
【特許文献４】特開２０１３−１１０８２２号公報
【特許文献５】特開２０１３−１２６３２７号公報
【特許文献６】特開２００８−１２０２３９号公報
【発明の概要】
【発明が解決しようとする課題】
【０００４】
一般的に、送電装置に備えられた送電コイルには、周波数変換器が接続される。受電装置に備えられた受電コイルには、整流器が接続される。周波数変換器や整流器は、複数のスイッチング素子を含んでいるため、スイッチング動作に起因したノイズが発生しやすい。ノイズが外部に放射されることを抑制するために、送電コイルと周波数変換器との間や、受電コイルと整流器との間には、フィルタユニットが配置される。フィルタユニットは、インダクタコアおよびインダクタコイルを有する。
【０００５】
送電装置の体格や受電装置の体格が大きくなることを抑制するために、フィルタユニットは、送電コイルに近接するように配置されたり、受電コイルに近接するように配置されたりする。これらの場合、インダクタコイルからの磁束と、送電コイルや受電コイルからの磁束とが干渉しやすくなる。磁束が干渉した場合には、インダクタコイルと送電コイルとの結合係数や、インダクタコイルと受電コイルとの結合係数が増加しやすくなり、結合係数の増加は高調波ノイズが増加する原因となり得る。
【０００６】
本発明は、上記のような実情に鑑みてなされたものであって、その目的は、インダクタコイルと送電コイルとの結合係数が増加することを抑制可能な構成を備えた送電装置、および、インダクタコイルと受電コイルとの結合係数が増加することを抑制可能な構成を備えた受電装置を提供することを目的とする。
【課題を解決するための手段】
【０００７】
受電装置に対向するように配置された状態で上記受電装置に非接触で電力を送電する送電装置であって、上記受電装置に対向する対向面と、上記対向面の反対側に位置する背面とを有する送電コイルコアと、上記受電装置に対向する上記送電装置から上記受電装置に向かう方向に延びる巻軸の周囲を取り囲むように環状に形成されており、上記送電コイルコアの上記対向面上に設けられた送電コイルと、インダクタコイルおよびインダクタコアを含み、上記送電コイルコアの上記背面上に設けられたフィルタユニットと、を備え、上記送電コイルが環状に延びている方向を周方向と規定し、上記周方向に対して直交する方向を法線方向と規定したとすると、上記インダクタコアは、上記送電コイルコアの上記背面に対向するように配置された平板部と、上記平板部の外周縁のうち、上記周方向における一方側および他方側に位置する部分にそれぞれ設けられた一対の立壁部と、を含み、上記インダクタコイルは、上記周方向における上記一対の立壁部の間に設けられており、上記一対の立壁部のうちの少なくとも一方の立壁部は、上記法線方向に対して平行に延びるように配置されており、かつ上記外周縁から上記送電コイルコアの上記背面の位置に向かって延在している。
【０００８】
上記の送電装置によれば、インダクタコアが一対の立壁部を有している。送電コイルの周方向に対して直交する方向を法線方向とすると、一対の立壁部のうちの少なくとも一方の立壁部は、法線方向に対して平行に延びるように配置され、かつ前記外周縁から送電コイルコアの背面の位置に向かって延在している。一対の立壁部は、送電コイルコアに磁気的に接続されており、一対の立壁部の存在によって磁気抵抗が小さくなっているため、インダクタコイルから生じる磁束の多くが、送電コイルから生じる磁束に対して直交しやすくなる。インダクタコイルから生じた磁束と送電コイルから生じた磁束とが干渉することは抑えられ、結合係数の増加を抑制でき、ひいては高調波ノイズが増加することも抑制可能となる。
【０００９】
上記の送電装置において好ましくは、前記送電コイルから前記インダクタコイルへ向かう磁束の通過経路上に配置されたシールド部材をさらに備える。当該構成によれば、シールド部材の存在によって、インダクタコイルから生じた磁束と送電コイルから生じた磁束とが干渉することをより一層抑えることが可能となる。
【００１０】
送電装置に対向するように配置された状態で上記送電装置から非接触で電力を受電する受電装置であって、上記送電装置に対向する対向面と、上記対向面の反対側に位置する背面とを有する受電コイルコアと、上記送電装置に対向する上記受電装置から上記送電装置に向かう方向に延びる巻軸の周囲を取り囲むように環状に形成されており、上記受電コイルコアの上記対向面上に設けられた受電コイルと、インダクタコイルおよびインダクタコアを含み、上記受電コイルコアの上記背面上に設けられたフィルタユニットと、を備え、上記受電コイルが環状に延びている方向を周方向と規定し、上記周方向に対して直交する方向を法線方向と規定したとすると、上記インダクタコアは、上記受電コイルコアの上記背面に対向するように配置された平板部と、上記平板部の外周縁のうち、上記周方向における一方側および他方側に位置する部分にそれぞれ設けられた一対の立壁部と、を含み、上記インダクタコイルは、上記周方向における上記一対の立壁部の間に設けられており、上記一対の立壁部のうちの少なくとも一方の立壁部は、上記法線方向に対して平行に延びるように配置されており、かつ前記外周縁から上記受電コイルコアの上記背面の位置に向かって延在している。
【００１１】
上記の受電装置によれば、インダクタコアが一対の立壁部を有している。受電コイルの周方向に対して直交する方向を法線方向とすると、一対の立壁部のうちの少なくとも一方の立壁部は、法線方向に対して平行に延びるように配置され、かつ上記外周縁から受電コイルコアの背面の位置に向かって延在している。一対の立壁部は、受電コイルコアに磁気的に接続されており、一対の立壁部の存在によって磁気抵抗が小さくなっているため、インダクタコイルから生じた磁束の多くが、受電コイルから生じた磁束に対して直交しやすくなる。インダクタコイルから生じた磁束と受電コイルから生じた磁束とが干渉することは抑えられ、結合係数の増加を抑制でき、ひいては高調波ノイズが増加することも抑制可能となる。
【００１２】
上記の受電装置において好ましくは、前記受電コイルから前記インダクタコイルへ向かう磁束の通過経路上に配置されたシールド部材をさらに備える。当該構成によれば、シールド部材の存在によって、インダクタコイルから生じた磁束と受電コイルから生じた磁束とが干渉することをより一層抑えることが可能となる。
【発明の効果】
【００１３】
上記の構成によれば、インダクタコイルと送電コイルとの結合係数が増加することや、インダクタコイルと受電コイルとの結合係数が増加することを抑制できる。
【図面の簡単な説明】
【００１４】
【図１】非接触充電システム１を示す模式図である。
【図２】非接触充電システム１の回路構成を示す図である。
【図３】送電装置２０のコイルユニット２２の背面（底面）側から見た様子を示す背面図である。
【図４】送電装置２０のコイルユニット２２の背面（底面）側から見た様子を示す斜視図である。
【図５】図３中のＶ線に囲まれた領域を拡大して示す背面図である。
【図６】図５中のＶＩ−ＶＩ線に沿った断面図である。
【図７】図５中のＶＩＩ−ＶＩＩ線に沿った断面図である。
【図８】送電装置２０のコイルユニット２２の背面（底面）側から見た様子を示す他の背面図である。
【図９】実施の形態における作用および効果を説明するための図である。
【図１０】比較例におけるコイルユニットの背面（底面）側から見た様子を示す背面図である。
【図１１】実施の形態の変形例におけるコイルユニットの背面（底面）側から見た様子を示す背面図である。
【図１２】図１１中のＸＩＩ−ＸＩＩ線に沿った断面図である。
【図１３】実施の形態の変形例２におけるコイルユニット２２の背面（底面）側から見た様子を示す背面図である。
【図１４】図１３中のＸＩＶ−ＸＩＶ線に沿った断面図である。
【図１５】図１３中のＸＶ−ＸＶ線に沿った断面図である。
【図１６】実施の形態の変形例２におけるコイルユニット２２の背面（底面）側から見た様子を示す斜視図である。
【図１７】実施の形態の変形例２におけるコイルユニット２２の背面（底面）側から見た様子を示す斜視図である。
【図１８】実施の形態の変形例３における送電装置（フィルタユニット２３Ｄ）を示す断面図である。
【図１９】受電装置１０のコイルユニット１２の背面側から見た様子を示す他の背面図である。
【図２０】他の実施の形態の変形例におけるコイルユニット１２の背面側から見た様子を示す背面図である。
【発明を実施するための形態】
【００１５】
図１は、非接触充電システム１を模式的に示している。非接触充電システム１は、受電装置１０および送電装置２０を備える。受電装置１０は、筐体１１と、筐体１１の中に収容されたコイルユニット１２とを含む。送電装置２０は、筐体２１と、筐体２１の中に収容されたコイルユニット２２とを含む。本実施の形態では、受電装置１０は車両２に搭載されており、送電装置２０は地面に設置されている。
【００１６】
図２は、非接触充電システム１の回路構成を示している。受電装置１０のコイルユニット１２は、受電コイル１２Ｌ、コンデンサ１２Ｃ、フィルタユニット１３，１４、および整流器１２Ｆを含む。整流器１２Ｆは、図示しない複数のスイッチング素子を含む。受電装置１０は、送電装置２０から非接触で電力を受電する。受電装置１０（受電コイル１２Ｌ）が受電した交流電力は、整流器１２Ｆによって直流電力に変換され、バッテリ１２Ｂに供給される。
【００１７】
受電装置１０のフィルタユニット１３は、コンデンサ１２Ｃと整流器１２Ｆとの間に設けられ、受電装置１０のフィルタユニット１４は、受電コイル１２Ｌと整流器１２Ｆとの間に設けられる。フィルタユニット１３，１４は、整流器１２Ｆが駆動することで生じるノイズが受電コイル１２Ｌから外部に放射されることを抑制する。
【００１８】
送電装置２０のコイルユニット２２は、送電コイル２２Ｌ、送電コイルコア３０（図２において図示せず、図３を参照して後述する）、コンデンサ２２Ｃ、フィルタユニット２３，２４、および周波数変換器２２Ｆを含む。周波数変換器２２Ｆは、図示しない複数のスイッチング素子を含む。周波数変換器２２Ｆは、電源２２Ｂから供給される交流電流の周波数を変更し、電圧を昇圧して、送電コイル２２Ｌに供給する。
【００１９】
送電装置２０のフィルタユニット２３は、コンデンサ２２Ｃと周波数変換器２２Ｆとの間に設けられ、送電装置２０のフィルタユニット２４は、送電コイル２２Ｌと周波数変換器２２Ｆとの間に設けられる。フィルタユニット２３，２４と周波数変換器２２Ｆとの間に、送電コイル２２Ｌに対して並列になるようにコンデンサを接続してもよい。フィルタユニット２３，２４は、周波数変換器２２Ｆが駆動することで生じるノイズが送電コイル２２Ｌから外部に放射されることを抑制する。
【００２０】
図１を再び参照して、送電装置２０は、受電装置１０に対向するように配置された状態で、受電装置１０に非接触で電力を送電する。受電装置１０は、送電装置２０に対向するように配置された状態で送電装置２０から非接触で電力を受電する。図１に示す例においては、受電装置１０が車両２の底面に配置され、送電装置２０が地面に設置されているため、電力伝送の際には、受電装置１０と送電装置２０とは上下方向に対向する。
【００２１】
本実施の形態においては、送電装置２０に対向する受電装置１０から送電装置２０に向かう方向は、下方向Ｄになる。受電装置１０に対向する送電装置２０から受電装置１０に向かう方向は、上方向Ｕになる。上記の各方向は、受電装置１０の搭載位置および送電装置２０の配置位置に応じて異なり得るものである。
【００２２】
（送電装置２０のコイルユニット２２の詳細構成）
図３および図４は、それぞれ、送電装置２０のコイルユニット２２の背面（底面）側から見た様子を示す背面図および斜視図である。図５は、図３中のＶ線に囲まれた領域を拡大して示す背面図である。図６および図７は、それぞれ、図５中のＶＩ−ＶＩ線およびＶＩＩ−ＶＩＩ線に沿った断面図である。
【００２３】
図３および図４を主として参照して、上述のとおり、送電装置２０のコイルユニット２２は、筐体２１（図１参照）の中に収容される。コイルユニット２２は、送電コイル２２Ｌ、送電コイルコア３０、コンデンサ２２Ｃ（図２参照）、フィルタユニット２３，２４、および周波数変換器２２Ｆ（図２参照）を含む。説明上の便宜のため、コンデンサ２２Ｃおよび周波数変換器２２Ｆは、図３および図４には図示していない。
【００２４】
送電コイルコア３０は、全体として板状に形成され、対向面３１および背面３２を有している。電力伝送の際には、受電装置１０は、送電装置２０の上方向Ｕに配置される。送電コイルコア３０のうちの上方向Ｕの側に位置する面が受電装置１０に対向するため、送電コイルコア３０のうちの上方向Ｕの側に位置する面が対向面３１となり、送電コイルコア３０のうちの対向面３１の反対側に位置する面（下方向Ｄの側に位置する面）が背面３２となる。
【００２５】
送電コイル２２Ｌは、送電コイルコア３０の対向面３１（上面）上に設けられている。送電コイル２２Ｌは、受電装置１０に対向する送電装置２０から受電装置１０に向かう方向（ここでは上方向Ｕ（図４））に延びる巻軸Ａ１の周囲を取り囲むように環状に形成されている。一方で、フィルタユニット２３，２４は、送電コイルコア３０の背面３２（下面）上に設けられている。
【００２６】
本実施の形態の送電コイルコア３０は、複数の単位フェライト（３０Ａ，３０Ｂ，…）から構成されており、複数の単位フェライトは、互いに間隔をあけて環状に並ぶように配置されている。フィルタユニット２３は、複数のうちの１つの単位フェライト３０Ａの背面３２上に設けられており、フィルタユニット２４は、複数のうちの１つの単位フェライト３０Ｂの背面３２上に設けられている。
【００２７】
（フィルタユニット２３）
図５〜図７を参照して、フィルタユニット２３は、インダクタコア２５と、インダクタコア２５に装着されたインダクタコイル２６とを含む。インダクタコア２５は、平板部２５Ｐと、一対の立壁部２５Ａ，２５Ｂと、突出部２５Ｔとを有している。平板部２５Ｐは、外形が略正方形に形成された板状の形状を有し、突出部２５Ｔは、平板部２５Ｐの中央に設けられている。
【００２８】
インダクタコイル２６は、突出部２５Ｔの周囲に巻回されており、突出部２５Ｔおよびインダクタコイル２６は、インダクタコア２５の平板部２５Ｐと送電コイルコア３０（単位フェライト３０Ａ）の背面３２との間に位置している。ここで、インダクタコア２５が配置されている位置において、送電コイル２２Ｌが環状に延びている方向を周方向ＡＲ１と規定し、周方向ＡＲ１に対して直交する方向を法線方向ＡＲ２と規定したとする。
【００２９】
一対の立壁部２５Ａ，２５Ｂは、平板部２５Ｐの外周縁のうち、周方向ＡＲ１における一方側および他方側に位置する部分にそれぞれ設けられている。インダクタコイル２６は、周方向ＡＲ１における一対の立壁部２５Ａ，２５Ｂの間に設けられている。一対の立壁部２５Ａ，２５Ｂのうちの少なくとも一方の立壁部は、法線方向ＡＲ２に対して平行に延びるように配置されており、かつ上記外周縁（平板部２５Ｐの外周縁）から送電コイルコア３０（単位フェライト３０Ａ）の背面３２の位置に向かって延在している。本実施の形態においては、一対の立壁部２５Ａ，２５Ｂの双方が、法線方向ＡＲ２に対して平行に延びるように配置されており、かつ送電コイルコア３０（単位フェライト３０Ａ）の背面３２に接触している。一対の立壁部２５Ａ，２５Ｂは、送電コイルコア３０に磁気的に結合している。
【００３０】
図７を参照して、平板部２５Ｐの外周縁のうち、法線方向ＡＲ２における一方側に位置する部分２５Ｐ１は、送電コイルコア３０（単位フェライト３０Ａ）の背面３２に対して間隔Ｓを空けて対向している。平板部２５Ｐの外周縁のうち、法線方向ＡＲ２における他方側に位置する部分２５Ｐ２も、送電コイルコア３０（単位フェライト３０Ａ）の背面３２に対して間隔Ｓを空けて対向している。突出部２５Ｔも、送電コイルコア３０（単位フェライト３０Ａ）の背面３２に接触していない。
【００３１】
（フィルタユニット２４）
図３を再び参照して、フィルタユニット２４は、インダクタコア２７と、インダクタコア２７に装着されたインダクタコイル２８とを含む。インダクタコア２７は、平板部２７Ｐと、一対の立壁部２７Ａ，２７Ｂと、突出部２７Ｔとを有している。
【００３２】
本実施の形態においては、フィルタユニット２３，２４は、同一の構成を有している。フィルタユニット２４におけるインダクタコア２７の平板部２７Ｐと、一対の立壁部２７Ａ，２７Ｂと、突出部２７Ｔと、突出部２７Ｔに巻回されたインダクタコイル２８とは、フィルタユニット２３におけるインダクタコア２５の平板部２５Ｐと、一対の立壁部２５Ａ，２５Ｂと、突出部２５Ｔと、突出部２５Ｔに巻回されたインダクタコイル２６とにそれぞれ対応している。
【００３３】
インダクタコア２７が配置されている位置において、送電コイル２２Ｌが環状に延びている方向を周方向ＡＲ３と規定し、周方向ＡＲ３に対して直交する方向を法線方向ＡＲ４と規定したとする。
【００３４】
一対の立壁部２７Ａ，２７Ｂは、平板部２７Ｐの外周縁のうち、周方向ＡＲ３における一方側および他方側に位置する部分にそれぞれ設けられている。インダクタコイル２８は、周方向ＡＲ３における一対の立壁部２７Ａ，２７Ｂの間に設けられており、一対の立壁部２７Ａ，２７Ｂのうちの少なくとも一方の立壁部は、法線方向ＡＲ４に対して平行に延びるように配置されており、かつ上記外周縁（平板部２７Ｐの外周縁）から送電コイルコア３０（単位フェライト３０Ｂ）の背面３２の位置に向かって延在している。本実施の形態においては、一対の立壁部２７Ａ，２７Ｂの双方が、法線方向ＡＲ２に対して平行に延びるように配置されており、かつ送電コイルコア３０（単位フェライト３０Ｂ）の背面３２に接触している。一対の立壁部２７Ａ，２７Ｂは、送電コイルコア３０に磁気的に結合している。
【００３５】
平板部２７Ｐの外周縁のうち、法線方向ＡＲ４における一方側に位置する部分は、送電コイルコア３０（単位フェライト３０Ｂ）の背面３２に対して間隔を空けて対向している。平板部２７Ｐの外周縁のうち、法線方向ＡＲ４における他方側に位置する部分も、送電コイルコア３０（単位フェライト３０Ｂ）の背面３２に対して間隔を空けて対向している。突出部２７Ｔも、送電コイルコア３０（単位フェライト３０Ｂ）の背面３２に接触していない。
【００３６】
（作用および効果）
図８は、送電装置２０のコイルユニット２２の背面（底面）側から見た様子を示す他の背面図である。説明上の便宜のため、フィルタユニット２３，２４は図８に図示していない。矢印ＤＲ１に示すように、電力送電の際には、送電コイル２２Ｌの周囲に放射状に広がる磁束が形成される。
【００３７】
周波数変換器２２Ｆ（図２参照）は、複数のスイッチング素子を含んでいるため、スイッチング動作に起因したノイズが発生しやすい。ノイズが外部に放射されることを抑制するために、送電コイル２２Ｌと周波数変換器２２Ｆとの間にフィルタユニット２３，２４が配置される。本実施の形態においては、送電装置２０の体格が大きくなることを抑制するために、フィルタユニット２３，２４は、筐体２１（図１）内において、送電コイル２２Ｌに近接するように配置されている。
【００３８】
したがって、特段の対策を施していない場合には、インダクタコイル２６，２８（図３）からの磁束と、送電コイル２２Ｌからの磁束とが干渉しやすくなる。磁束が干渉した場合には、インダクタコイル２６，２８と送電コイル２２Ｌとの結合係数が増加しやすくなり、結合係数の増加は高調波ノイズが増加する原因となり得る。
【００３９】
図９を参照して、これに対して本実施の形態では、インダクタコア２５が一対の立壁部２５Ａ，２５Ｂを有している。送電コイル２２Ｌの周方向ＡＲ１に対して直交する方向を法線方向ＡＲ２とすると、一対の立壁部２５Ａ，２５Ｂは、法線方向ＡＲ２に対して平行に延びるように配置され、かつ送電コイルコア３０（単位フェライト３０Ａ）の背面３２に接触している。
【００４０】
一対の立壁部２５Ａ，２５Ｂは、送電コイルコア３０（単位フェライト３０Ａ）に磁気的に接続されており、一対の立壁部２５Ａ，２５Ｂの存在によって磁気抵抗が小さくなっているため、インダクタコイル２６から生じる磁束（ＤＲ２，ＤＲ３）の多くが、送電コイル２２Ｌから生じる磁束（ＤＲ１）に対して直交しやすくなる。インダクタコイル２６から生じた磁束（ＤＲ２，ＤＲ３）と送電コイル２２Ｌから生じた磁束（ＤＲ１）とが干渉することは抑えられ、結合係数の増加を抑制でき、ひいては高調波ノイズが増加することも抑制可能となる。これらの作用および効果は、フィルタユニット２３だけでなく、フィルタユニット２４においても奏するものである。
【００４１】
（比較例）
図１０は、比較例におけるコイルユニットの背面（底面）側から見た様子を示す背面図である。比較例におけるフィルタユニット２３Ｚは、インダクタコア２５の構成が、上述の実施の形態と相違しており、立壁部２５Ａ，２５Ｂを有していない。矢印ＤＲ４に示すように、インダクタコイル２６の周囲には放射状に広がる磁束が形成される。インダクタコイル２６からの磁束（ＤＲ４）と、送電コイル２２Ｌからの磁束（ＤＲ１）とが干渉しやすくなっており、インダクタコイル２６と送電コイル２２Ｌとの結合係数が増加しやすく、結合係数の増加は高調波ノイズが増加する原因となり得る。
【００４２】
（変形例１）
図１１は、実施の形態の変形例１におけるコイルユニットの背面（底面）側から見た様子を示す背面図である。図１２は、図１１中のＸＩＩ−ＸＩＩ線に沿った断面図である。変形例１におけるフィルタユニット２３Ｂは、いわゆるソレノイド型のインダクタコイル２６を有している。インダクタコイル２６は、平板部２５Ｐの周囲に巻回されている。
【００４３】
ここで、インダクタコア２５が配置されている位置において、送電コイル２２Ｌが環状に延びている方向を周方向ＡＲ１と規定し、周方向ＡＲ１に対して直交する方向を法線方向ＡＲ２と規定したとする。インダクタコイル２６は、インダクタコイル２６の巻軸が周方向ＡＲ１に対して平行な方向に延びるように配置されている。
【００４４】
一対の立壁部２５Ａ，２５Ｂのうちの少なくとも一方の立壁部は、法線方向ＡＲ２に対して平行に延びるように配置されており、かつ上記外周縁（平板部２５Ｐの外周縁）から送電コイルコア３０（単位フェライト３０Ａ）の背面３２の位置に向かって延在している。本変形例においては、一対の立壁部２５Ａ，２５Ｂの双方が、法線方向ＡＲ２に対して平行に延びるように配置され、かつ送電コイルコア３０（単位フェライト３０Ａ）の背面３２に接触している。一対の立壁部２５Ａ，２５Ｂは、送電コイルコア３０（単位フェライト３０Ａ）に磁気的に接続されており、一対の立壁部２５Ａ，２５Ｂの存在によって磁気抵抗が小さくなっているため、インダクタコイル２６から生じる磁束（ＤＲ２，ＤＲ３）の多くが、送電コイル２２Ｌから生じる磁束（ＤＲ１）に対して直交しやすくなる。インダクタコイル２６から生じた磁束（ＤＲ２，ＤＲ３）と送電コイル２２Ｌから生じた磁束（ＤＲ１）とが干渉することは抑えられ、結合係数の増加を抑制でき、ひいては高調波ノイズが増加することも抑制可能となる。
【００４５】
（変形例２）
図１３は、実施の形態の変形例２におけるコイルユニット２２の背面（底面）側から見た様子を示す背面図である。図１４は、図１３中のＸＩＶ−ＸＩＶ線に沿った断面図である。図１５は、図１３中のＸＶ−ＸＶ線に沿った断面図である。なお、図１３においては、ケース５０をフィルタユニット２３Ｃから取り外した状態が図示されており、図１４および図１５においては、ケース５０をフィルタユニット２３Ｃに組み付けた状態が図示されている。
【００４６】
図１６および図１７は、実施の形態の変形例２におけるコイルユニット２２の背面（底面）側から見た様子を示す斜視図である。図１６においては、ケース５０をフィルタユニット２３Ｃから取り外し、さらに、送電コイル２２Ｌを送電コイルコア３０から取り外した状態が図示されている。図１７においては、ケース５０をフィルタユニット２３Ｃから取り外し、送電コイル２２Ｌを送電コイルコア３０から取り外し、さらに、カバー６０をフィルタユニット２３Ｃから取り外した状態が図示されている。
【００４７】
上述の実施の形態においては（図３参照）、１つのインダクタコイル２６に対して１つのインダクタコア２５が設けられ、インダクタコイル２６（フィルタユニット２３）は、コンデンサ２２Ｃ（図１参照）と周波数変換器２２Ｆとの間に設けられる。同様に、１つのインダクタコイル２８に対して１つのインダクタコア２７が設けられ、インダクタコイル２８（フィルタユニット２４）は、送電コイル２２Ｌ（図１参照）と周波数変換器２２Ｆとの間に設けられる。
【００４８】
（インダクタコイル２６，２８）
図１３〜図１７を参照して（図１４および図１５を主として参照して）、本変形例のフィルタユニット２３Ｃにおいては、２つのインダクタコイル２６，２８に対して、１つのインダクタコア２５が設けられる。インダクタコイル２６，２８は、いずれも突出部２５Ｔの周囲に巻回されている。当該構成によれば、相互インダクタンスを有効に利用でき、コイル線長を短くすることが可能となり、ひいては製造費用を安くすることも可能となる。インダクタコイル２６，２８が一箇所に設けられることによって、省スペース化を図ることも可能となる。
【００４９】
本変形例においても、一対の立壁部２５Ａ，２５Ｂは、平板部２５Ｐの外周縁のうち、送電コイル２２Ｌの周方向における一方側および他方側に位置する部分にそれぞれ設けられている。インダクタコイル２６，２８は、周方向における一対の立壁部２５Ａ，２５Ｂの間に設けられている。一対の立壁部２５Ａ，２５Ｂのうちの少なくとも一方の立壁部は、周方向に直交する法線方向に対して平行に延びるように配置されており、かつ上記外周縁（平板部２５Ｐの外周縁）から送電コイルコア３０（単位フェライト３０Ａ）の背面３２の位置に向かって延在している。本変形例においては、立壁部２５Ａが、法線方向に対して平行に延びるように配置されており、かつ送電コイルコア３０（単位フェライト３０Ａ）の背面３２に接触している。立壁部２５Ａ，２５Ｂは、送電コイルコア３０に磁気的に結合している。
【００５０】
一対の立壁部２５Ａ，２５Ｂの存在によって磁気抵抗が小さくなっているため、インダクタコイル２６，２８から生じる磁束の多くが、送電コイル２２Ｌから生じる磁束に対して直交しやすくなる。インダクタコイル２６，２８から生じた磁束と送電コイル２２Ｌから生じた磁束とが干渉することは抑えられ、結合係数の増加を抑制でき、ひいては高調波ノイズが増加することも抑制可能となる。
【００５１】
（シールド部材）
本変形例の送電装置は、送電コイル２２Ｌからインダクタコイル２６，２８へ向かう磁束の通過経路上に配置されたシールド部材をさらに備える。具体的には、本変形例の送電装置は、ケース５０およびカバー６０をさらに備える。ケース５０およびカバー６０は、いずれもアルミ製であり、送電コイル２２Ｌからインダクタコイル２６，２８へ向かう磁束に対してシールド部材として機能することができる。
【００５２】
図１３〜図１６を参照して、ケース５０は、平板部５１、周壁部５２、および環状リブ５３を含む。平板部５１は、正方形状に形成される。周壁部５２は、平板部５１の４つの外縁から起立するように設けられ、全体として四角形の枠状の形状を有している。環状リブ５３は、平板部５１の表面から起立するように設けられ、環状リブ５３も、全体として四角形の枠状の形状を有している。環状リブ５３の大きさおよび形状は、環状リブ５３の内側に、フィルタユニット２３Ｃがちょうど収まるような大きさおよび形状とされている（図１４および図１５を参照）。
【００５３】
図１７を参照して、カバー６０は、板状の形状を有する。カバー６０には、開口６１が設けられている。開口６１の形状は、長方形であり、開口６１の大きさは、開口６１の内側にフィルタユニット２３Ｃがちょうど収まるような大きさおよび形状とされている（図１４〜図１６を参照）。
【００５４】
カバー６０をフィルタユニット２３Ｃに組み付けた状態（図１６に示す状態）においては、フィルタユニット２３Ｃは、開口６１の内側に配置される。カバー６０は、送電コイルコア３０の背面３２に対向するように配置されている（図１４および図１５参照）。カバー６０は、送電コイル２２Ｌおよび送電コイルコア３０からフィルタユニット２３Ｃに向かう磁束に対して鎖交する位置（磁束の通過経路）に配置されており、カバー６０（シールド部材）の存在によって、インダクタコイル２６，２８から生じた磁束と送電コイル２２Ｌから生じた磁束とが干渉することをより一層抑えることが可能となる。
【００５５】
同様に、ケース５０をフィルタユニット２３Ｃに組み付けた状態（図１４および図１５に示す状態）においては、フィルタユニット２３Ｃは、環状リブ５３および開口６１の内側に配置される。ケース５０の平板部５１および周壁部５２、ならびにカバー６０は、送電コイル２２Ｌおよび送電コイルコア３０からフィルタユニット２３Ｃに向かう磁束に対して鎖交する位置（磁束の通過経路）に配置されており、ケース５０（シールド部材）およびカバー６０（シールド部材）の存在によって、インダクタコイル２６，２８から生じた磁束と送電コイル２２Ｌから生じた磁束とが干渉することをより一層抑えることが可能となる。
【００５６】
カバー６０は、送電コイルコア３０の背面３２に対向するように配置され、シールド部材として機能することができる。ケース５０の平板部５１および周壁部５２は、フィルタユニット２３Ｃの周囲を囲うように配置され、シールド部材として機能することができる。カバー６０およびケース５０は、いずれか一方のみがシールド部材として機能することが可能なように構成されてもよい。
【００５７】
（変形例３）
図１８は、実施の形態の変形例３における送電装置（フィルタユニット２３Ｄ）を示す断面図である。図１８は、上述の変形例２における図１４に対応している。フィルタユニット２３Ｄが載置されている送電コイルコア３０（単位フェライト３０Ａ）は、厚さＴＨＡを有しており、フィルタユニット２３Ｄが載置されていない送電コイルコア３０（単位フェライト３０Ｃ）は、厚さＴＨＣを有している。本変形例においては、厚さＴＨＡは、厚さＴＨＣよりも厚い。
【００５８】
フィルタユニット２３Ｄが載置されている送電コイルコア３０（単位フェライト３０Ａ）には、送電コイル２２Ｌからの磁束だけでなく、インダクタコイル２６，２８からの磁束も入り込む。単位フェライト３０Ａの厚さＴＨＡを厚く構成しておくことで、より高い飽和磁束密度が得られるため、送電コイル２２Ｌからの磁束や、インダクタコイル２６，２８からの磁束に損失が生じることを抑制可能となり、ひいては単位フェライト３０Ａが発熱することも抑制可能となる。
【００５９】
なお、送電コイルコア３０（単位フェライト３０Ａ）の厚さＴＨＡを厚くした場合には、送電装置の全体としての厚さを厚くすることに繋がる。図１８に示すように、フィルタユニット２３Ｄに用いられているインダクタコア２５の平板部２５Ｐの厚さを、可能な範囲で薄く構成することは、送電装置の全体としての厚さを厚くするためには有効な手段である。平板部２５Ｐの厚さを薄くすることは、平板部２５Ｐにおける発熱量が増加することに繋がるが、本変形の場合、ケース５０の平板部５１が平板部２５Ｐの放熱手段として作用することができる。
【００６０】
（他の実施の形態）
上述の実施の形態および各変形例における構成、作用および効果は、送電装置２０に基づき説明した。上記と同様の作用および効果は、受電装置１０においても奏するものである。
【００６１】
図１９は、受電装置１０のコイルユニット１２の背面側から見た様子を示す背面図である。受電装置１０のコイルユニット１２は、筐体１１（図１参照）の中に収容される。コイルユニット１２は、受電コイル１２Ｌ、受電コイルコア４０、コンデンサ１２Ｃ（図２参照）、フィルタユニット１３，１４、および整流器１２Ｆ（図２参照）を含む。説明上の便宜のため、コンデンサ１２Ｃおよび整流器１２Ｆは、図１９には図示していない。
【００６２】
受電コイルコア４０は、全体として板状に形成され、対向面４１および背面４２を有している。電力伝送の際には、送電装置２０は、受電装置１０の下方向（上方向Ｕの反対方向）に配置される。受電コイルコア４０のうちの下方向の側に位置する面が送電装置２０に対向するため、受電コイルコア４０のうちの下方向の側に位置する面が対向面４１となり、受電コイルコア４０のうちの対向面４１の反対側に位置する面（上方向Ｕの側に位置する面）が背面４２となる。
【００６３】
受電コイル１２Ｌは、受電コイルコア４０の対向面４１（下面）上に設けられている。受電コイル１２Ｌは、送電装置２０に対向する受電装置１０から送電装置２０に向かう方向（ここでは下方向）に延びる巻軸Ａ２の周囲を取り囲むように環状に形成されている。一方で、フィルタユニット１３，１４は、受電コイルコア４０の背面４２（上面）上に設けられている。
【００６４】
本実施の形態の受電コイルコア４０は、複数の単位フェライト（４０Ａ，４０Ｂ，…）から構成されており、複数の単位フェライトは、互いに間隔をあけて環状に並ぶように配置されている。フィルタユニット１３は、複数のうちの１つの単位フェライト４０Ａの背面４２上に設けられており、フィルタユニット１４は、複数のうちの１つの単位フェライト４０Ｂの背面４２上に設けられている。
【００６５】
（フィルタユニット１３）
フィルタユニット１３は、インダクタコア１５と、インダクタコア１５に装着されたインダクタコイル１６とを含む。インダクタコア１５は、平板部１５Ｐと、一対の立壁部１５Ａ，１５Ｂと、突出部１５Ｔとを有している。平板部１５Ｐは、外形が略正方形に形成された板状の形状を有し、突出部１５Ｔは、平板部１５Ｐの中央に設けられている。
【００６６】
インダクタコイル１６は、突出部１５Ｔの周囲に巻回されており、突出部１５Ｔおよびインダクタコイル１６は、インダクタコア１５の平板部１５Ｐと受電コイルコア４０（単位フェライト４０Ａ）の背面４２との間に位置している。ここで、インダクタコア１５が配置されている位置において、受電コイル１２Ｌが環状に延びている方向を周方向ＡＲ５と規定し、周方向ＡＲ５に対して直交する方向を法線方向ＡＲ６と規定したとする。
【００６７】
一対の立壁部１５Ａ，１５Ｂは、平板部１５Ｐの外周縁のうち、周方向ＡＲ５における一方側および他方側に位置する部分にそれぞれ設けられている。インダクタコイル１６は、周方向ＡＲ５における一対の立壁部１５Ａ，１５Ｂの間に設けられており、一対の立壁部１５Ａ，１５Ｂのうちの少なくとも一方の立壁部は、法線方向ＡＲ６に対して平行に延びるように配置されており、かつ上記外周縁（平板部１５Ｐの外周縁）から受電コイルコア４０（単位フェライト４０Ａ）の背面４２の位置に向かって延在している。本実施の形態においては、一対の立壁部１５Ａ，１５Ｂの双方が、法線方向ＡＲ６に対して平行に延びるように配置されており、かつ受電コイルコア４０（単位フェライト４０Ａ）の背面４２に接触している。一対の立壁部１５Ａ，１５Ｂは、受電コイルコア４０に磁気的に結合している。
【００６８】
平板部１５Ｐの外周縁のうち、法線方向ＡＲ６における一方側に位置する部分は、受電コイルコア４０（単位フェライト４０Ａ）の背面４２に対して間隔を空けて対向している。平板部１５Ｐの外周縁のうち、法線方向ＡＲ６における他方側に位置する部分も、受電コイルコア４０（単位フェライト４０Ａ）の背面４２に対して間隔を空けて対向している。突出部１５Ｔも、受電コイルコア４０（単位フェライト４０Ａ）の背面４２に接触していない。
【００６９】
（フィルタユニット１４）
フィルタユニット１４は、インダクタコア１７と、インダクタコア１７に装着されたインダクタコイル１８とを含む。インダクタコア１７は、平板部１７Ｐと、一対の立壁部１７Ａ，１７Ｂと、突出部１７Ｔとを有している。
【００７０】
本実施の形態においては、フィルタユニット１３，１４は、同一の構成を有している。フィルタユニット１４におけるインダクタコア１７の平板部１７Ｐと、一対の立壁部１７Ａ，１７Ｂと、突出部１７Ｔと、突出部１７Ｔに巻回されたインダクタコイル１８とは、フィルタユニット１３におけるインダクタコア１５の平板部１５Ｐと、一対の立壁部１５Ａ，１５Ｂと、突出部１５Ｔと、突出部１５Ｔに巻回されたインダクタコイル１６とにそれぞれ対応している。
【００７１】
インダクタコア１７が配置されている位置において、送電コイル２２Ｌが環状に延びている方向を周方向ＡＲ７と規定し、周方向ＡＲ７に対して直交する方向を法線方向ＡＲ８と規定したとする。
【００７２】
一対の立壁部１７Ａ，１７Ｂは、平板部１７Ｐの外周縁のうち、周方向ＡＲ７における一方側および他方側に位置する部分にそれぞれ設けられている。インダクタコイル１８は、周方向ＡＲ７における一対の立壁部１７Ａ，１７Ｂの間に設けられており、一対の立壁部１７Ａ，１７Ｂのうちの少なくとも一方の立壁部は、法線方向ＡＲ８に対して平行に延びるように配置されており、かつ上記外周縁（平板部１７Ｐの外周縁）から受電コイルコア４０（単位フェライト４０Ｂ）の背面３２の位置に向かって延在している。本実施の形態においては、一対の立壁部１７Ａ，１７Ｂの双方が、法線方向ＡＲ８に対して平行に延びるように配置されており、かつ受電コイルコア４０（単位フェライト４０Ｂ）の背面４２に接触している。一対の立壁部１７Ａ，１７Ｂは、受電コイルコア４０に磁気的に結合している。
【００７３】
平板部１７Ｐの外周縁のうち、法線方向ＡＲ８における一方側に位置する部分は、受電コイルコア４０（単位フェライト４０Ｂ）の背面４２に対して間隔を空けて対向している。平板部１７Ｐの外周縁のうち、法線方向ＡＲ８における他方側に位置する部分も、受電コイルコア４０（単位フェライト４０Ｂ）の背面４２に対して間隔を空けて対向している。突出部１７Ｔも、受電コイルコア４０（単位フェライト４０Ｂ）の背面４２に接触していない。
【００７４】
（作用および効果）
整流器１２Ｆ（図２参照）は、複数のスイッチング素子を含んでいるため、スイッチング動作に起因したノイズが発生しやすい。ノイズが外部に放射されることを抑制するために、受電コイル１２Ｌと整流器１２Ｆとの間にフィルタユニット１３，１４が配置される。本実施の形態においては、送電装置２０の体格が大きくなることを抑制するために、フィルタユニット１３，１４は、筐体１１（図１）内において、受電コイル１２Ｌに近接するように配置されている。
【００７５】
したがって、特段の対策を施していない場合には、インダクタコイル１６，１８からの磁束と、受電コイル１２Ｌからの磁束とが干渉しやすくなる。磁束が干渉した場合には、インダクタコイル１６，１８と受電コイル１２Ｌとの結合係数が増加しやすくなり、結合係数の増加は高調波ノイズが増加する原因となり得る。
【００７６】
これに対して本実施の形態では、インダクタコア１５が一対の立壁部１５Ａ，１５Ｂを有している。受電コイル１２Ｌの周方向ＡＲ５に対して直交する方向を法線方向ＡＲ６とすると、一対の立壁部１５Ａ，１５Ｂは、法線方向ＡＲ６に対して平行に延びるように配置され、かつ受電コイルコア４０（単位フェライト４０Ａ）の背面４２に接触している。
【００７７】
一対の立壁部１５Ａ，１５Ｂは、受電コイルコア４０（単位フェライト４０Ａ）に磁気的に接続されており、一対の立壁部１５Ａ，１５Ｂの存在によって磁気抵抗が小さくなっているため、インダクタコイル１６から生じる磁束の多くが、受電コイル１２Ｌから生じる磁束に対して直交しやすくなる。インダクタコア１５から生じた磁束と受電コイル１２Ｌから生じた磁束とが干渉することは抑えられ、結合係数の増加を抑制でき、ひいては高調波ノイズが増加することも抑制可能となる。これらの作用および効果は、フィルタユニット１３だけでなく、フィルタユニット１４においても奏するものである。
【００７８】
（変形例）
図２０は、他の実施の形態の変形例におけるコイルユニット１２の背面側から見た様子を示す背面図である。図２０においては、ケース７０をフィルタユニット１３Ｃから取り外した状態が図示されている。
【００７９】
本変形例のフィルタユニット１３Ｃにおいては、２つのインダクタコイル１６，１８に対して、１つのインダクタコア１５が設けられる。インダクタコイル１６，１８は、いずれも突出部１５Ｔの周囲に巻回されている。当該構成によれば、相互インダクタンスを有効に利用でき、コイル線長を短くすることが可能となり、ひいては製造費用を安くすることも可能となる。インダクタコイル１６，１８が一箇所に設けられることによって、省スペース化を図ることも可能となる。
【００８０】
本変形例においても、一対の立壁部１５Ａ，１５Ｂは、平板部１５Ｐの外周縁のうち、受電コイル１２Ｌの周方向における一方側および他方側に位置する部分にそれぞれ設けられている。インダクタコイル１６，１８は、周方向における一対の立壁部１５Ａ，１５Ｂの間に設けられている。一対の立壁部１５Ａ，１５Ｂのうちの少なくとも一方の立壁部は、周方向に直交する法線方向に対して平行に延びるように配置されており、かつ上記外周縁（平板部１５Ｐの外周縁）から受電コイルコア４０（単位フェライト４０Ａ）の背面４２の位置に向かって延在している。本変形例においては、立壁部１５Ａが、法線方向に対して平行に延びるように配置されており、かつ受電コイルコア４０（単位フェライト４０Ａ）の背面４２に接触している。立壁部１５Ａ，１５Ｂは、受電コイルコア４０に磁気的に結合している。
【００８１】
一対の立壁部１５Ａ，１５Ｂの存在によって磁気抵抗が小さくなっているため、インダクタコイル１６，１８から生じる磁束の多くが、受電コイル１２Ｌから生じる磁束に対して直交しやすくなる。インダクタコイル１６，１８から生じた磁束と受電コイル１２Ｌから生じた磁束とが干渉することは抑えられ、結合係数の増加を抑制でき、ひいては高調波ノイズが増加することも抑制可能となる。
【００８２】
（シールド部材）
本変形例の受電装置は、受電コイル１２Ｌからインダクタコイル１６，１８へ向かう磁束の通過経路上に配置されたシールド部材をさらに備える。具体的には、本変形例の受電装置は、ケース７０およびカバー８０をさらに備える。ケース７０およびカバー８０は、いずれもアルミ製であり、受電コイル１２Ｌからインダクタコイル１６，１８へ向かう磁束に対してシールド部材として機能することができる。
【００８３】
ケース７０は、平板部７１、周壁部７２、および環状リブ７３を含む。平板部７１は、正方形状に形成される。周壁部７２は、平板部７１の４つの外縁から起立するように設けられ、全体として四角形の枠状の形状を有している。環状リブ７３は、平板部７１の表面から起立するように設けられ、環状リブ７３も、全体として四角形の枠状の形状を有している。環状リブ７３の大きさおよび形状は、環状リブ７３の内側に、フィルタユニット１３Ｃがちょうど収まるような大きさおよび形状とされている。
【００８４】
カバー８０は、板状の形状を有する。カバー８０には、開口８１が設けられている。開口８１の形状は、長方形であり、開口８１の大きさは、開口８１の内側にフィルタユニット１３Ｃがちょうど収まるような大きさおよび形状とされている。
【００８５】
カバー８０をフィルタユニット１３Ｃに組み付けた状態においては、フィルタユニット１３Ｃは、開口８１の内側に配置される。カバー８０は、受電コイルコア４０の背面４２に対向するように配置されている。カバー８０は、受電コイル１２Ｌおよび受電コイルコア４０からフィルタユニット１３Ｃに向かう磁束に対して鎖交する位置（磁束の通過経路）に配置されており、カバー８０（シールド部材）の存在によって、インダクタコイル１６，１８から生じた磁束と受電コイル１２Ｌから生じた磁束とが干渉することをより一層抑えることが可能となる。
【００８６】
同様に、ケース７０をフィルタユニット１３Ｃに組み付けた状態においては、フィルタユニット１３Ｃは、環状リブ７３および開口８１の内側に配置される。ケース７０の平板部７１および周壁部７２、ならびにカバー８０は、受電コイル１２Ｌおよび受電コイルコア４０からフィルタユニット１３Ｃに向かう磁束に対して鎖交する位置（磁束の通過経路）に配置されており、ケース７０（シールド部材）およびカバー８０（シールド部材）の存在によって、インダクタコイル１６，１８から生じた磁束と受電コイル１２Ｌから生じた磁束とが干渉することをより一層抑えることが可能となる。
【００８７】
カバー８０は、受電コイルコア４０の背面４２に対向するように配置され、シールド部材として機能することができる。ケース７０の平板部７１および周壁部７２は、フィルタユニット１３Ｃの周囲を囲うように配置され、シールド部材として機能することができる。カバー８０およびケース７０は、いずれか一方のみがシールド部材として機能することが可能なように構成されてもよい。
【００８８】
以上の受電装置に関する説明においては、上述の実施の形態における送電装置と同様な構成を有する受電装置と、上述の実施の形態の変形例２における送電装置と同様な構成を有する受電装置について説明した。これらの構成に限られず、上述の実施の形態の変形例１，３，４，５における送電装置として開示した技術的思想も、受電装置にそのまま適用することが可能である。
【００８９】
なお、今回開示された実施の形態および変形例は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【産業上の利用可能性】
【００９０】
本発明は、受電装置に非接触で電力を送電する送電装置、および送電装置から非接触で電力を受電する受電装置に適用することができる。
【符号の説明】
【００９１】
１  非接触充電システム、２  車両、１０  受電装置、１１，２１  筐体、１２，２２  コイルユニット、１２Ｂ  バッテリ、１２Ｃ，２２Ｃ  コンデンサ、１２Ｆ  整流器、１２Ｌ  受電コイル、１３，１３Ｃ，１４，２３，２３Ｂ，２３Ｃ，２３Ｄ，２３Ｚ，２４  フィルタユニット、１５，１７，２５，２７  インダクタコア、１５Ａ，１５Ｂ，１７Ａ，１７Ｂ，２５Ａ，２５Ｂ，２７Ａ，２７Ｂ  立壁部、１５Ｐ，１７Ｐ，２５Ｐ，２７Ｐ，５１，７１  平板部、１５Ｔ，１７Ｔ，２５Ｔ，２７Ｔ  突出部、１６，１８，２６，２８  インダクタコイル、２０  送電装置、２２Ｂ  電源、２２Ｆ  周波数変換器、２２Ｌ  送電コイル、２５Ｐ１，２５Ｐ２  部分、３０  送電コイルコア、３０Ａ，３０Ｂ，３０Ｃ，４０Ａ，４０Ｂ  単位フェライト、３１，４１  対向面、３２，４２  背面、４０  受電コイルコア、５０，７０  ケース、５２，７２  周壁部、５３，７３  環状リブ、６０，８０  カバー、６１，８１  開口、Ａ１，Ａ２  巻軸、ＡＲ１，ＡＲ３，ＡＲ５，ＡＲ７  周方向、ＡＲ２，ＡＲ４，ＡＲ６，ＡＲ８  法線方向、Ｄ  下方向、ＤＲ１，ＤＲ４  矢印、Ｓ  間隔、ＴＨＡ，ＴＨＣ  厚さ、Ｕ  上方向。
【図１】
2017107977.tif 000003
【図２】
2017107977.tif 000004
【図３】
2017107977.tif 000005
【図４】
2017107977.tif 000006
【図５】
2017107977.tif 000007
【図６】
2017107977.tif 000008
【図７】
2017107977.tif 000009
【図８】
2017107977.tif 000010
【図９】
2017107977.tif 000011
【図１０】
2017107977.tif 000012
【図１１】
2017107977.tif 000013
【図１２】
2017107977.tif 000014
【図１３】
2017107977.tif 000015
【図１４】
2017107977.tif 000016
【図１５】
2017107977.tif 000017
【図１６】
2017107977.tif 000018
【図１７】
2017107977.tif 000019
【図１８】
2017107977.tif 000020
【図１９】
2017107977.tif 000021
【図２０】
2017107977.tif 000022